(57)【要約】【課題】短髪と長髪の連結作業が一人の作業者で効率よく行えかつ、両者の結束力が強く保たれ簡単に解き離れることがなく、長期に継続して使用することのできる、毛髪の編付け法を提供する。【課題を解決するための手段】地肌Ｈから複数本の自毛を左右に分髪し、液体Ｗ等で湿らせ、これをそれぞれ左毛Ａと右毛Ｃに束ねる、束ね工程と、エクステＨＸの上方でループＬを形成して結び目Ｍを設け、そのループＬを右毛Ｃに挿通してこれを押し上げ、根元近傍で結び目Ｍを固く締めて止着する、止着工程と、分髪された左毛Ａ、右毛Ｃ及びエクステＨＸとを交互に順次、下方に向けて三つ編みする、編付工程と、三つ編みされた下端部Ｙを、糸ゴムＧで巻回し固定する、固定工程と、固定した糸ゴムＧと三つ編みされたエクステＨＸの短毛Ｃの残余部を鋏等でカットする、切断工程と、を含むことを特徴としている。【選択図】図１
2004308088.tif 000002
【特許請求の範囲】
【請求項１】
地肌から複数本の自毛を左右に分髪し、液体等で湿らせ、これをそれぞれ左自毛束と右自毛束に束ねる、束ね工程と、
ヘアーエクステンションの上方でループを形成して結び目を設け、そのループを右自毛束に挿通してこれを押し上げ、根元近傍で結び目を固く締めて止着する、止着工程と、
分髪された左右の自毛束とヘアーエクステンションとを交互に順次、下方に向けて三つ編みする、編付工程と、
三つ編みされた下端部を、糸ゴムで巻回し固定する、固定工程と、
固定した糸ゴムと三つ編みされたヘアーエクステンションの残余部を鋏等でカットする、切断工程と、を含む毛髪の編付け法。
【請求項２】
前記ヘアーエクステンションは、複数本の人毛又は合成繊維を素材とし、上部を接着剤で固定してなることを特徴とする、請求項１記載の毛髪の編付け法。
【請求項３】
前記分髪された左右の自毛を湿らす液体が、水であることを特徴とする、請求項１ないし請求項２記載の毛髪の編付け法。
【発明の詳細な説明】
【０００１】
【発明の属する技術分野】本発明は、毛髪の編付け法に係り、特には、ショートヘアーにロングヘアーを編み付ける方法に関する。
【０００２】
【従来の技術】美容室などにおいて、顧客がショートヘアー（以下、短髪という）からロングヘアー（以下、長髪という）に変えることを希望した時、一般的には、一人の作業者が両手を使い、顧客の地肌から複数本の自毛を取り分けこれを二つの自毛束にし、この自毛束の地肌側に他の一人が予め用意した、人毛又は人造毛よりなるヘアーエクステンションの二つの束の先端部をそれぞれ交差させ、合計四つの束を二人の作業者が交互に順次下方に向かって、２〜５回交差と編み合わせを行い、その下端部をヘアーエクステンション用のアイロンで融着している。
【０００３】
【発明が解決しようとする課題】しかし上記、短髪を長髪に連結する、従来の方法では、以下の不都合な面がある。即ち、二つの自毛束とヘアーエクステンションの二つの束とを交差と編み合わせを行わなければならないので、一人で作業するのは困難であり、また編み合わせ工程が多く、作業開始から完了まで５時間以上かかり、効率が悪くまた、交差と編み合わせ行うだけなので自毛束とヘアーエクステンションの結束力が弱く、長期の使用に耐えられないという欠点がある。
【０００４】
本発明は、上記、従来技術の問題に鑑み、一人の作業者で自毛束とヘアーエクステンションの連結作業を短時間で行うことができかつ、両者の結束力が強く、継続して使用することのできる、毛髪の編付け法を提供することを目的としている。
【０００５】
【課題を解決するための手段】請求項１に係る、毛髪の編付け法は、地肌から複数本の自毛を左右に分髪し、液体等で湿らせ、これをそれぞれ左自毛束と右自毛束に束ねる、束ね工程と、ヘアーエクステンションの上方でループを形成して結び目を設け、そのループを右自毛束に挿通してこれを押し上げ、根元近傍で結び目を固く締めて止着する、止着工程と、分髪された左右の自毛束とヘアーエクステンションとを交互に順次、下方に向けて三つ編みする、編付工程と、三つ編みされた下端部を、糸ゴムで巻回し固定する、固定工程と、固定した糸ゴムと三つ編みされたヘアーエクステンションの残余部を鋏等でカットする、切断工程と、を含むことを特徴としている。
【０００６】
請求項２は、請求項１記載の毛髪の編付け法において、前記ヘアーエクステンションは、複数本の人毛又は合成繊維を素材とし、上部を接着剤で固定してなることを特徴としている。
【０００７】
請求項３は、請求項１及び請求項２記載の毛髪の編付け法において、前記分髪された左右の自毛を湿らす液体が、水であることを特徴としている。
【０００８】
【発明の実施の形態】以下、本発明に係る、毛髪の編付け法の好適な実施形態について図面を参照しながら説明する。図１〜図３は、その編付け工程の説明図で、図４は、編付け作業の用具類を示し、（イ）は、液体（水）Ｗを入れたトレイＳの一部切欠正面図、（ロ）は、人毛又は人工合成繊維からなる、ヘアーエクステンション（以下、エクステＨＸという）の正面図、（ハ）は，糸ゴムＧの正面図である。
【０００９】
まず、１人の作業者の左右の指（不図示）で、図１（イ）に示すように、地肌から複数本、好適には１０〜５０本の自毛を引き出してそれぞれに左自毛束（以下、左毛Ａという）及び右自毛束（以下、右毛Ｃという）にほぼ均等に分割し、図４（イ）に示すトレイＳの液体（水）Ｗを作業者の指先につけ、これを左毛Ａ及び右毛Ｃに付着させて湿らせ、これをそれぞれに束ねる。
【００１０】
次に、上方にループＬと結び目Ｍを設けたエクステＨＸを、図１（ロ）に示すように、作業者の右指で右毛Ｃに挿通し、これを地肌Ｈの近くまで押し上げ、その根元で結び目Ｍを固く止着し、これを地肌Ｈ側に強く押しつける。
【００１１】
図１（ハ）はその止着状態を示し、エクステＨＸは、結び目Ｍを境目として左側に短毛のエクステＨＸ（以下、短毛Ｂという）、右側に長毛のエクステＨＸ（以下、長毛Ｄという）が形成され、左毛Ａと右毛Ｃの間に短毛Ｂが、右毛Ｃの右側に長毛Ｄが配置される。
【００１２】
次に、左毛Ａと短毛Ｂを作業者の左指で束ねて一本化し、毛髪の束を３本とし、（図１（ニ）参照）、これより、三つ編み作業に入るがそれにはまず、図１（ホ）に示すように、右指で右毛Ｃを左毛Ａ・短毛Ｂの下を交差させ、さらに、図１（ヘ）のように、左毛Ａ・短毛Ｂの上を通過させながらこれを巻回する。
【００１３】
右毛Ｃと左毛Ａ・短毛Ｂの巻回部は、結び目Ｍ近くで地肌Ｈ側に強く押圧し（図２（ト）参照）、次に長毛Ｄを左毛Ａ・短毛Ｂと右毛Ｃの間に位置させ（図２（チ）参照）、左毛Ａ・短毛Ｂを右側に巻回しながら長毛Ｄと右毛Ｃの間に持ってくる（図２（リ）参照）。続いて右毛Ｃを左毛Ａ・短毛Ｂの上を交差させながら左毛Ａ・短毛Ｂと長毛Ｄの間に持ってきて（図２（ヌ）参照）、さらに長毛Ｄは右側に捻りながら右毛Ｃと左毛Ａ・短毛Ｂの間に位置させ（図２（ル）参照）、右側の左毛Ａ・短毛Ｂを長毛Ｄの下を通過させて右毛Ｃと長毛Ｄの間に持ってくる（図２（ヲ）参照）。
【００１４】
上記の図１（ホ）から図２（ヲ）までの三つ編み作業を、２〜４回順次繰り返し、地肌Ｈから下方に約１ｃｍの長さになるまで行い（図３（ワ）参照）、さらに図３（カ）に示すように、その下端部Ｙを長さが約１０ｃｍの糸ゴムＧで数回、巻回し強く結着する。
【００１５】
続いて、図３（ヨ）に示すように、結着した糸ゴムＧと右毛Ｃ及び左毛Ａ・短毛Ｂの残余部は、それぞれの根元で鋏などを使い切断して編付け作業は終了する。
【００１６】
【発明の効果】本発明に係る、毛髪の編付け法は、上記の構成になるから以下の効果を奏する。即ち、短髪に長髪を連結する作業が、トレイＳの液体（水）Ｗや糸ゴムＧなどの簡単な用具を使い一人の従業員で手早く行え、作業開始から約２時間で終了するので、省力化となりかつ、顧客の待ち時間の短縮につながる。
【００１７】
また、図１（ハ）に示すように、エクステＨＸの結び目Ｍは、右毛Ｃの地肌Ｈ側に強く止着されているので、結束力が強くかつ、短髪の自毛と長髪のエクステＨＸを三つ編みし、その下端部Ｙを糸ゴムＧで固く結着しているので短髪と長髪は、簡単に解き離れることがなく、長期の使用にも耐えられる。
【図面の簡単な説明】
【図１】（イ）〜（ヘ）本発明に係る、毛髪の編付け法の好適な実施態様における工程を示す説明図である。
【図２】（ト）〜（ヲ）同工程を示す説明図である。
【図３】（ワ）〜（ヨ）同工程を示す説明図である。
【図４】（イ）〜（ハ）同編付け作業に使う用具類を示す正面図である。
【符号の説明】
Ａ        左毛
Ｃ        右毛
ＨＸ      エクステ
Ｌ        ループ
Ｍ        結び目
Ｈ        地肌
Ｂ        短毛
Ｄ        長毛
Ｓ        トレイ
Ｗ        液体（水）
Ｇ        糸ゴム
Ｙ        下端部
【図１】
2004308088.tif 000003
【図２】
2004308088.tif 000004
【図３】
2004308088.tif 000005
【図４】
2004308088.tif 000006